(57)【要約】【課題】  小物の大きさに合わせて自分だけのポケットを自由自在に作ることができ、小物をバランス良く整理してバッグ内へ収納することができるようにする。【解決手段】  各種バッグＱ内の形態に合わせて裁断可能とし、縦横方向に均等な孔部５を穿設して成る芯部材２と、孔部５を介して芯部材２に取り付け、小物Ｐの形状に合わせて裁断可能とした軟質素材によるポケット部材３と、ポケット部材３の両横縁部および下縁部の三方を芯部材２の孔部５に合わせて固定するよう当該孔部５に挿入する固定部材４とを備える。【選択図】          図１
2007044191.tif 000002
【特許請求の範囲】
【請求項１】
各種バッグ内の形態に合わせて裁断可能とし、縦横方向に均等な孔部を穿設して成る芯部材と、孔部を介して芯部材に取り付けられ、小物の形状に合わせて裁断可能とした軟質素材によるポケット部材と、ポケット部材の両横縁部および下縁部の三方を芯部材の孔部に合わせて固定するよう当該孔部に挿入される固定部材とを備えて成ることを特徴とする小物収容具。
【請求項２】
固定部材は、孔部に挿入されるピン部を備えたブッシュリベットと、孔部の反対側に突出したピン部に被せて固定されるキャップとから構成したり、孔部に足割部が挿入されて反対側で足割部を互いに拡開させることで固定可能とした足割リベット、あるいは孔部に挿入可能な糸または紐によって構成した請求項１記載の小物収容具。
【請求項３】
芯部材は、カッターやハサミで裁断可能なポリプロピレン製等のシート材によって形成した請求項１または２記載の小物収容具。
【発明の詳細な説明】
【技術分野】
【０００１】
本発明は、カバンやハンドバッグその他の携帯用バッグ内の形態に合わせて形成され、例えばＰＤＡ、カメラ、電子辞書、ボールペン、印鑑、その他の携帯品等の小物を整理された状態で収納して当該バッグ内に収容できるようにした小物収容具に関する。
【背景技術】
【０００２】
近年、カバンやハンドバッグその他の携帯用バッグ内に入っている小物を取り出すとき、その中を隅から隅まで手を入れて探すか、あるいは小物を全部取り出すかしていた。また、空港の手荷物検査等では、バッグ内の小物を全て出し、検査後、短時間にバッグに詰め込むことが殆どで、この場合、小物がバラバラに入ってしまうことによってバッグが必要以上に膨らんでしまう。このため、従来においては、特許文献１に開示されているように、カバン内に収納した小物全体を簡単に取り出すことによって中身も確認でき、しかも小物をバランス良く整理してバッグ内へ収納することができるようにするために、カバンの中仕切等に小物を収納するためのポケット状の複数の収納部を縫製等によって固定して小物収容具を形成したものがあった。
【特許文献１】特開２００４−３１３２７３号公報
【発明の開示】
【発明が解決しようとする課題】
【０００３】
しかしながら、従来における小物収容具は、ポケット状の複数の収納部を縫製等によって全て固定してあるため、収納部自体の使用範囲が制限されてしまう。しかも、収容される小物に応じて収納部の大きさや配置等を自由に変更して作ることができないという問題点があった。
【０００４】
そこで、本発明は、叙上のような従来存した諸事情に鑑みなされたもので、自分が所有しているカバンやハンドバッグその他の携帯用バッグ内の、例えばＰＤＡ、カメラ、電子辞書、ボールペン、印鑑、その他の携帯品等の小物をその大きさに合わせて自分だけのポケットを自由自在に作ることができ、小物をバランス良く整理してバッグ内へ収納することができるようにした小物収容具を提供することを目的とする。
【課題を解決するための手段】
【０００５】
上述した課題を解決するため、本発明にあっては、各種バッグ内の形態に合わせて裁断可能とし、縦横方向に均等な孔部を穿設して成る芯部材と、孔部を介して芯部材に取り付けられ、小物の形状に合わせて裁断可能とした軟質素材によるポケット部材と、ポケット部材の両横縁部および下縁部の三方を芯部材の孔部に合わせて固定するよう当該孔部に挿入される固定部材とを備えて成るものである。
【０００６】
固定部材は、孔部に挿入されるピン部を備えたブッシュリベットと、孔部の反対側に突出したピン部に被せて固定されるキャップとから構成したり、孔部に足割部が挿入されて反対側で足割部を互いに拡開させることで固定可能とした足割リベット、あるいは孔部に挿入可能な糸または紐によって構成したりすることができる。
【０００７】
芯部材は、カッターやハサミで裁断可能なポリプロピレン製等のシート材によって形成することができる。
【０００８】
以上のように構成された本発明に係る小物収容具にあって、芯部材は各種バッグ内の形態に合わせて裁断され、またポケット部材は小物の形状に合わせて裁断される。そして、ポケット部材の両横縁部および下縁部の三方を芯部材の孔部に合わせてから固定部材を当該孔部に挿入することでポケット部材が固定される。
【発明の効果】
【０００９】
本発明によれば、自分が所有しているカバンやハンドバッグその他の携帯用バッグ内の、例えばＰＤＡ、カメラ、電子辞書、ボールペン、印鑑、その他の携帯品等の小物をその大きさに合わせて自分だけのポケットを自由自在に作ることができ、小物をバランス良く整理してバッグ内へ収納することができる。
【００１０】
すなわち、これは本発明が、各種バッグ内の形態に合わせて裁断可能とし、縦横方向に均等な孔部を穿設して成る芯部材と、孔部を介して芯部材に取り付けられ、小物の形状に合わせて裁断可能とした軟質素材によるポケット部材と、ポケット部材の両横縁部および下縁部の三方を芯部材の孔部に合わせて固定するよう当該孔部に挿入される固定部材とを備えて成るからであり、これにより、各種バッグ内の形態に合わせて芯部材を容易に裁断でき、またポケット部材を小物の大きさに合わせて裁断することで、自分だけのポケットを自由自在に作ることができる。
【００１１】
固定部材は、孔部に挿入されるピン部を備えたブッシュリベットと、孔部の反対側に突出したピン部に被せて固定されるキャップとから構成したり、孔部に足割部が挿入されて反対側で足割部を互いに拡開させることで固定可能とした足割リベット、または孔部に挿入可能な糸または紐によって構成したので、芯部材に対するポケット部材の着脱が可能となり、大小ポケットの配置形態を自由自在に変更させることができる。
【００１２】
芯部材は、カッターやハサミで裁断可能なポリプロピレン製等のシート材によって形成したので、各種バッグが皮革製等のハンドバッグ等である場合にも、柔軟性のあるポリプロピレン製等のシート材によって容易に対応させることができ、しかも裁断加工も容易に行える。
【発明を実施するための最良の形態】
【００１３】
以下、図面を参照して本発明を実施するための最良の一形態を説明すると、図において示される符号１は、カバンやハンドバッグその他携帯用の各種バッグＱ内の形態に合わせるようにして形成された薄板状の小物収容具であり、図５に示すように、例えばＰＤＡ、カメラ、電子辞書、ボールペン、印鑑、その他の携帯品等の小物Ｐを整理された状態で収納し、各種バッグＱ内において例えば間仕切り状に収容できるようにしてある。
【００１４】
この小物収容具１は、芯部材２と、芯部材２に取り付けられるポケット部材３と、ポケット部材３を芯部材２に固定させる固定部材４とによって概ね構成されている。すなわち、芯部材２は、カッターやハサミで裁断可能な比重の軽いポリプロピレン製等のシート材によって形成され、この面内には縦横方向に沿って例えば約１０ｍｍ間隔の均等な小円形状の孔部５を穿設して多孔基板状に形成してある。
【００１５】
また、ポケット部材３は、図２に示すように、小物Ｐの形状に合わせて裁断可能となるよう芯部材２よりも薄いメッシュ入りの柔軟性材料である例えば布製、皮革製、メッシュ状合成樹脂製等によって形成され、芯部材２の孔部５と同様に、約５ｍｍ〜１０ｍｍ間隔で縦横方向に孔部６が連設されている。尚、メッシュ状のポケット部材３の場合は、孔部６の形成は必要ない。裁断に際し、ポケット部材３は、小物Ｐが自由に出し入れできる程度の寸法となるように、両横縁部および下縁部の三方における孔部６の一列を止め代Ｒとして残して裁断する。
【００１６】
そして、図４乃至図６に示すように、ポケット部材３の両横縁部および下縁部の三方の止め代Ｒにおける孔部６を、芯部材２の孔部５に合わせてから必要に応じて等間隔な孔部７を備えた帯状の補強部材８をあてがい、当該孔部５に固定部材４を挿入し固定することでポケットが形成されるようにしてある。
【００１７】
この固定部材４としては、各孔部５、６、７に足割部が挿入されて反対側で足割部を互いに拡開させることで固定可能とした足割リベットによって構成する。このとき、拡開させた足割部を上側から覆うように、ここに布製またはナイロン製等の粘着カバー９を貼着しても良い。
【００１８】
固定部材４の他例としては、各孔部５、６、７に挿入されるピン部を備えたナイロンブッシュリベットと、各孔部５、６、７の反対側に突出したピン部に被せて固定されるキャップとから構成しても良い。
【００１９】
また、孔部５、６、７に挿入可能なナイロン製の糸または紐を利用することもできる。このように糸あるいは紐を固定部材４として利用すれば、芯部材２に固定される各ポケット部材３の間隔を狭くすることができる。したがって、１枚の芯部材２に対するポケット部材３の数を増やすことができる。
【００２０】
次に、以上のように構成された最良の形態についての使用、組立の一例について説明すると、図１に示すように、芯部材２は各種バッグＱ内の形態に合わせて裁断する。また、図２、図３に示すように、ポケット部材３は小物Ｐの形状に合わせて裁断する。このとき、孔部５と孔部６との間にカッターやハサミを入れて切断する。
【００２１】
このときポケット部材３の方は、図３に示すように、小物Ｐが自由に出し入れできる程度の寸法となるように、両横縁部および下縁部の三方における孔部６の一列を止め代Ｒとして残して裁断する。そして、ポケット部材３の両横縁部および下縁部の三方における止め代Ｒの孔部６を、芯部材の孔部５に合わせておき、図４に示すように、必要に応じて等間隔な孔部７を備えた帯状の補強部材８をあてがってから、足割リベットによる固定部材４を当該各孔部５、６、７に挿入することでポケット部材３が固定される。必要に応じて、固定部材４の拡開させた足割部を上側から覆うように、ここに布製またはナイロン製等の粘着カバー９を貼着する。
【００２２】
こうして図５、図６に示すように、小物Ｐの種類に応じた大小様々なポケットを備えた小物収容具１が形成される。そして、各ポケットに小物Ｐを収納してから、小物収容具１自体を各種バッグＱ内に収容すれば、小物Ｐはバランス良く整理された状態となって各種バッグＱ内へ収納されるのである。
【図面の簡単な説明】
【００２３】
【図１】本発明を実施するための最良の形態を示す芯部材の正面図である。
【図２】同じくポケット部材の一部切欠正面図である。
【図３】同じく裁断後のポケット部材の正面図である。
【図４】同じく芯部材にポケット部材を固定する状態の一部切欠斜視図である。
【図５】同じく小物収容具の使用状態を示す正面図である。
【図６】同じく小物収容具の平面図である。
【符号の説明】
【００２４】
Ｐ          小物
Ｑ          各種バッグ
Ｒ          止め代
１          小物収容具
２          芯部材
３          ポケット部材
４          固定部材
５、６、７  孔部
８          補強部材
９          粘着カバー
【図１】
2007044191.tif 000003
【図２】
2007044191.tif 000004
【図３】
2007044191.tif 000005
【図４】
2007044191.tif 000006
【図５】
2007044191.tif 000007
【図６】
2007044191.tif 000008